(57)【要約】【課題】排気気体がポンプ内部へ逆流することを極力防止すると共に、ポンプ内部が過圧縮になることを極力防止し、ポンプ内部の温度上昇を抑制して信頼性を向上できると共に、運転効率を向上できる二軸回転ポンプを提供すること。【解決手段】二つのロータ３０、３０同士が非接触で回転されると共に、二つのロータ３０、３０がシリンダ５０の内面にも非接触で回転されるよう設けられ、シリンダ５０を構成するシリンダ３０の壁部５２、５３であって気体の圧縮工程で圧縮空間を構成する壁部の部位に、圧縮された気体の一部を逃がすことができる複数の逃がし孔７０が設けられ、圧縮工程を通じて、その圧縮工程の圧縮比の増大に応じて減少する圧縮空間の容積に対し、複数の逃がし孔７０の開いているシリンダに面する総面積の割合が徐々に増大するように、その複数の逃がし孔７０が配置されている。【選択図】図１
2014231812.tif 000002
【特許請求の範囲】
【請求項１】
二つのロータ同士が微小なクリアランスを保って非接触で回転されると共に、前記二つのロータがシリンダの内面にも微小なクリアランスを保って非接触で回転されるように、前記ロータを備える二つの回転軸が軸受によって支持されて設けられ、気体を前記シリンダ内へ吸気して圧縮された気体を前記シリンダから排気する二軸回転ポンプにおいて、
前記シリンダを構成するシリンダの壁部であって気体の圧縮工程で圧縮空間を構成する壁部の部位に、圧縮された気体の一部を逃がすことができる複数の逃がし孔が設けられ、
前記圧縮工程を通じて、該圧縮工程の圧縮比の増大に応じて減少する圧縮空間の容積に対し、前記複数の逃がし孔の開いているシリンダに面する総面積の割合が徐々に増大するように、該複数の逃がし孔が配置されていることを特徴とする二軸回転ポンプ。
【請求項２】
前記複数の逃がし孔の一部又は全数が、前記シリンダの軸方向に両端を構成する端壁部の少なくとも一方に設けられていることを特徴とする請求項１記載の二軸回転ポンプ。
【請求項３】
前記逃がし孔には、前記シリンダ内の圧力が、所定の圧力よりも高圧の場合には開き、所定の圧力よりも低圧の場合には閉じる逆止弁が設けられていることを特徴とする請求項１又は２記載の二軸回転ポンプ。
【請求項４】
前記逆止弁がリード弁であることを特徴とする請求項３記載の二軸回転ポンプ。
【請求項５】
前記シリンダの圧縮された気体を排気する排気口からの排気と前記逃がし孔からの排気とを合流させて消音させる空間を形成するサイレンサ部を備えることを特徴とする請求項１〜４のいずれかに記載の二軸回転ポンプ。
【請求項６】
前記ロータが鉤形の爪部を備えるクローポンプのロータであり、前記逃がし孔が設けられた前記シリンダの両端部を構成する端壁部の少なくとも一方に該シリンダの圧縮された気体を排気する排気口が設けられていることを特徴とする請求項１〜５のいずれかに記載の二軸回転ポンプ。
【請求項７】
前記シリンダと前記二つのロータとによる単位ポンプ構成が、前記二つの回転軸の軸方向において複数段に設けられ、該複数段の単位ポンプ構成のうち少なくとも一つについて前記逃がし孔が設けられていることを特徴とする請求項１〜６のいずれかに記載の二軸回転ポンプ。
【発明の詳細な説明】
【技術分野】
【０００１】
本発明は、二つのロータ同士が微小なクリアランスを保って非接触で回転されると共に、前記二つのロータがシリンダの内面にも微小なクリアランスを保って非接触で回転されるように、前記ロータを備える二つの回転軸が軸受によって支持されて設けられ、気体を前記シリンダ内へ吸気して圧縮された気体を前記シリンダから排気する二軸回転ポンプに関する。
【背景技術】
【０００２】
二軸回転ポンプとしては、クローロータを搭載する非接触型の真空ポンプであるクローポンプがある。例えば、本出願人が先に提案したクローポンプの排気構造及び排気方法によれば、ポンプ室を形成するシリンダと、シリンダの端面を塞ぐ一方のサイドプレート及び他方のサイドプレートと、シリンダ内で平行に位置するように配されて反対方向に回転される二つの回転軸と、その二つの回転軸のそれぞれに一体的に固定されて設けられ、相互に非接触状態で噛合って吸入した気体を圧縮できるように鉤形の爪部が形成された二つのロータと、回転駆動装置と、シリンダ内の気体が圧縮されないポンプ室の部分に連通する吸気口と、一方のサイドプレート及び他方のサイドプレートの両方にシリンダ内の気体が圧縮されるポンプ室の部分に開口する排気口を具備する（特許文献１参照）。これによれば、排気効率を高めることで、クローポンプのポンプ性能を向上させることができる。
【０００３】
このようなクローポンプにおいては、圧縮工程があり、吸入気体（空気）を圧縮することで排気効率が向上する。このような回転ポンプの到達運転時は、吸入空気量が無いため、原理的にはポンプの空気輸送及び圧縮が無く、ポンプとしての仕事はゼロである。しかし、実際は到達運転時でも僅かな隙間からの漏れにより吸入空気は存在し、且つロータとシリンダで形成される排気開放直前の空間（密閉空間）が排気口を通じて外部（ポンプ内部から排出された大気圧以上の空気がある空間）と連通した際に、排気開放直前の空間は負圧であるため大気圧以上の排気空気がポンプ内部へ逆流する。逆流した空気は再圧縮され再度外部へ排出される。ここで無駄な工程が発生し、動力負荷及びポンプ内部温度が上昇する。なお、到達運転とは、到達圧力での運転のことで、その到達圧力とは、そのポンプの真空をつくる最大の能力である真空ポンプの吸入口を締め切ったとき（排気流量が０となったとき）に到達できる圧力のことである。
【０００４】
すなわち、この到達運転時などのポンプ内部へ逆流する排気空気によれば、動力負荷が上昇して運転効率が悪化する。また、その逆流する排気空気によれば、ポンプ内部温度が上昇することで、熱膨張によるロータ接触、オイルシールやベアリングなど重要部品の劣化が生じやすくなり、ポンプ装置の信頼性が低下する。これに対しては、逆流空気量を抑制するように、単純に排気開放直前の容積を減少させると、排気流量の多い場合の大気開放側（吸入される空気の圧力が大気圧に近い状態での運転がされる場合）が過圧縮状態となる。また、ポンプ内部容積の減少による流量の減少が発生するという問題が生じる。なお、排気開放直前の容積が存在する限り、逆流空気は必ず発生することになり、以上の問題を合理的に緩和することが課題になる。この課題に対して、従来は、運転条件に所要の制約をかけることによって対応しており、運転効率をより向上させることができなかった。
【０００５】
なお、先に本出願人は、ベーンを持つロータリー式の真空ポンプ（ベーンポンプ）について、次の構成を提案してある。真空ポンプには、気体の排気孔が設けられていて、その排気孔には第１逆止弁が備えられている。加えて、この真空ポンプの内の外気圧以上に圧縮された気体を外気中に逃がして、真空ポンプの動力ロスを少なく抑えるための圧力逃がし孔が設けられていて、その圧力逃がし孔には、第２逆止弁が備えられている。この排気孔と圧力逃がし孔とは、真空ポンプの気体の排気口を構成している（特許文献２参照）。
これによれば、シリンダを形成する壁部のうちの周壁部に逃がし孔が設けられており、圧縮されるポンプ内部が過圧縮になって温度が上昇することを抑制することができる。
【先行技術文献】
【特許文献】
【０００６】
【特許文献１】特開２０１１−３８４７６号公報（第１頁）
【特許文献２】特開２００１−２８９１６７号公報（［００２０］）
【発明の概要】
【発明が解決しようとする課題】
【０００７】
二軸回転ポンプに関して解決しようとする問題点は、排気気体がポンプ内部へ逆流することを極力防止し、運転効率を向上させてポンプ内部の温度上昇を抑制すると共に、ポンプ内部が過圧縮になることを抑制するための合理的な構成が、二軸回転ポンプについては提案されていない点にある。
そこで本発明の目的は、排気気体がポンプ内部へ逆流することを極力防止すると共に、ポンプ内部が過圧縮になることを極力防止し、ポンプ内部の温度上昇を抑制して信頼性を向上できると共に、運転効率を向上できる二軸回転ポンプを提供することにある。
【課題を解決するための手段】
【０００８】
本発明は、上記目的を達成するために次の構成を備える。
本発明に係る二軸回転ポンプの一形態によれば、二つのロータ同士が微小なクリアランスを保って非接触で回転されると共に、前記二つのロータがシリンダの内面にも微小なクリアランスを保って非接触で回転されるように、前記ロータを備える二つの回転軸が軸受によって支持されて設けられ、気体を前記シリンダ内へ吸気して圧縮された気体を前記シリンダから排気する二軸回転ポンプにおいて、前記シリンダを構成するシリンダの壁部であって気体の圧縮工程で圧縮空間を構成する壁部の部位に、圧縮された気体の一部を逃がすことができる複数の逃がし孔が設けられ、前記圧縮工程を通じて、該圧縮工程の圧縮比の増大に応じて減少する圧縮空間の容積に対し、前記複数の逃がし孔の開いているシリンダに面する総面積の割合が徐々に増大するように、該複数の逃がし孔が配置されている。
【０００９】
また、本発明に係る二軸回転ポンプの一形態によれば、前記複数の逃がし孔の一部又は全数が、前記シリンダの軸方向に両端を構成する端壁部の少なくとも一方に設けられていることを特徴とすることができる。
また、本発明に係る二軸回転ポンプの一形態によれば、前記逃がし孔には、前記シリンダ内の圧力が、所定の圧力よりも高圧の場合には開き、所定の圧力よりも低圧の場合には閉じる逆止弁が設けられていることを特徴とすることができる。
また、本発明に係る二軸回転ポンプの一形態によれば、前記逆止弁がリード弁であることを特徴とすることができる。
【００１０】
また、本発明に係る二軸回転ポンプの一形態によれば、前記シリンダの圧縮された気体を排気する排気口からの排気と前記逃がし孔からの排気とを合流させて消音させる空間を形成するサイレンサ部を備えることを特徴とすることができる。
【００１１】
また、本発明に係る二軸回転ポンプの一形態によれば、前記ロータが鉤形の爪部を備えるクローポンプのロータであり、前記逃がし孔が設けられた前記シリンダの両端部を構成する端壁部の少なくとも一方に該シリンダの圧縮された気体を排気する排気口が設けられていることを特徴とすることができる。
【００１２】
また、本発明に係る二軸回転ポンプの一形態によれば、前記シリンダと前記二つのロータとによる単位ポンプ構成が、前記二つの回転軸の軸方向において複数段に設けられ、該複数段の単位ポンプ構成のうち少なくとも一つについて前記逃がし孔が設けられていることを特徴とすることができる。
【発明の効果】
【００１３】
本発明に係る二軸回転ポンプによれば、排気気体がポンプ内部へ逆流することを極力防止すると共に、ポンプ内部が過圧縮になることを極力防止し、ポンプ内部の温度上昇を抑制して信頼性を向上できると共に、運転効率を向上できるという特別有利な効果を奏する。
【図面の簡単な説明】
【００１４】
【図１】本発明に係る回転ポンプの上位概念としての形態例を示す断面図である。
【図２】本発明に係る二軸回転ポンプの形態例を示す斜視図である。
【図３】図２の形態例の中央横断面図である。
【図４】図２の形態例の中央縦断面図である。
【図５】図４の形態例のＸ−Ｘ線断面図である。
【図６】図２のマフラーケースを外した端壁部を示す側面図である。
【図７】図６の端壁部の逃止弁を外した状態を示す側面図である。
【図８】図２の形態例のエスケープボックスを外した状態を底面側から見た斜視図である。
【図９】図２の形態例の接続ケースのカバー部を外した状態を上面側から見た斜視図である。
【図１０】図２の形態例の二つのロータと複数の逃がし孔との配置関係を説明する断面図である。
【図１１】図２の形態例の二つのロータによる気体の圧縮状態の変化と複数の逃がし孔による開口との比率の変化を説明する断面図である。
【発明を実施するための形態】
【００１５】
以下、本発明に係る形態例を、添付図面に基づいて説明する。図１は、本発明に係る回転ポンプの上位概念としての形態例を示すように符号を付した断面図であり、先ず、この図１に基づいて本発明の上位概念としての形態例を説明する。
【００１６】
なお、本形態例は、回転ポンプのうち、容積型ポンプであって、二軸回転ポンプに属するものとなっている。二軸回転ポンプとしては、例えば、ロータ非接触型のポンプであるクローポンプ、スクリューポンプやルーツポンプなどが挙げられる。また、一軸の回転ポンプとしては、ベーンポンプなどがある。このような回転ポンプは、例えば、電動モータによって駆動され、真空ポンプやブロアなどの空気圧装置として使用される。
【００１７】
本形態例は、二つのロータ３０、３０同士が微小なクリアランスを保って非接触で回転されると共に、二つのロータ３０、３０がシリンダ５０の内面にも微小なクリアランスを保って非接触で回転されるように、そのロータ３０、３０を備える二つの回転軸２０、２０が軸受４０、４０によって支持されて設けられ、気体をシリンダ５０内へ吸気して圧縮された気体をシリンダ５０から排気する二軸回転ポンプになっている。
【００１８】
この二軸回転ポンプは、クローポンプであり、ロータ３０、３０は、鉤形の爪部を備えている（図５参照）。本形態例のロータ３０では、二つ（複数）の鉤形の爪部を備えているが、クローポンプのロータの形態はこれに限定されることなく、一つの爪部の場合や、三つ以上の爪部を備える場合もある。なお、クローポンプでは、気体を高圧に圧縮できるため、ポンプ内部の温度が上昇しやすい。
また、本形態例のクローポンプは、シリンダ５０と二つのロータ３０、３０とによる単位ポンプ構成１０が、二つの回転軸２０、２０の軸方向について複数段（二段）に設けられている多段の二軸回転ポンプになっている。
【００１９】
複数の単位ポンプ構成１０のうち少なくとも一つについて、シリンダ５０の両端部を構成する端壁部５２、５２の少なくとも一方に、圧縮された気体の一部を逃がすことができるように、逃がし孔７０（図４、７など参照）が、回転軸２０、２０の軸方向に開口して設けられている。
本形態例では、その逃がし孔７０（図４、７など参照）が、端壁部５２に複数設けられている。また、その逃がし孔７０が設けられた端壁部（後段シリンダの他方の端壁部５２Ｄ（図４、７など参照））に、シリンダ５０の圧縮された気体を排気する排気口（後段の排気口５５Ｂ（図４、７など参照））が設けられている。
なお、逃がし孔７０に係る形状、大きさ、数量、配置などの形態は、本形態例に限定されるものではない。例えば、多数の逃がし孔７０のうち少なくとも一部（複数）が、シリンダ５０の内面に帯状に連続するように溝状に加工・形成された帯溝状凹部の内底面に開口されることで、その複数の逃がし孔７０が、そのシリンダ５０の内面の側では、その帯溝状凹部に連通して一体化され、一つの大きな孔として機能できるようにしてもよい。この場合でも、シリンダ５０の外面（排気側の面）には、後述する逆止弁（リード弁７１）を、各逃がし孔７０に対応させて個々に設けてもよい。
【００２０】
この逃がし孔７０によれば、クローロータを搭載する非接触型真空ポンプなどの回転ポンプにおいて、大気開放側の過圧縮を抑制できる。過圧縮が抑制できるため、排気開放直前の容積を減少させるように排気口（後段の排気口５５Ｂ）を小さくして圧縮比を上げることが可能となる。排気開放直前の容積を減少させることで、ポンプ内部へ逆流する排気の気体量を抑制できる。この逆流する気体量を抑制できることで、真空ポンプの到達運転時における動力負荷低減による省エネができ、到達運転時のポンプ内部温度の上昇を抑制することができることで熱膨張抑制及び重要部品の長寿命化が可能となる。
【００２１】
そして、端壁部５２に設けられた逃がし孔７０は、回転軸２０、２０の軸方向へ開口して形成されているため、その深さは端壁部５２の厚みに相当する短いものであり、逃がし孔７０としての応答性に優れた形態となっている。すなわち、過圧縮の気体を、タイムラグが短い状態で逐次に排気できる。しかも、この逃がし孔７０は、端壁部５２の面において最適位置に容易に配置でき、その機能を最適に発揮させるように設けることができる。
また、逃がし孔７０が、端壁部５２に複数設けられることで、気体圧縮の工程中において過圧縮の気体をバランスよく適時に排気でき、その機能性をより向上できる。
【００２２】
１１はオイルバスカバーであり、駆動側の回転軸２０Ａ（図３参照）に一体的に固定された駆動歯車２１と従動側の回転軸２０Ｂ（図３参照）に一体的に固定された従動歯車２２とが内蔵されるオイルバス部を構成している。なお、１１ａはオイルゲージであり、オイルバス部内の潤滑油の油量を確認できるように配置されている。
【００２３】
２３は従動プーリであり、駆動側の回転軸２０Ａの一端部に一体的に固定されている。この従動プーリ２３に駆動ベルトが掛け回されて、例えば電動モータからの動力が伝達されることで、本形態例の二軸回転ポンプが駆動されるように設けられている。なお、駆動力の伝達手段はこれに限定されるものではなく、例えば、駆動側の回転軸２０Ａと電動モータの駆動軸を直列的に配置して、カップリングによって連結する形態としてもよい。
【００２４】
また、本形態例は、オイルカバー１１、前段のポンプ本体１２、前段のサイドプレート１３、後段のポンプ本体１５、後段のサイドプレート１６、及びマフラーケース１７が回転軸２０の軸方向に連結されて外郭が構成されるように設けられている。本形態例のオイルカバー１１によって形成されているオイルバス部は、動力が伝達される側に設けられており、駆動歯車２１と従動歯車２２は、それぞれが片持ちに軸受４０によって支持された回転軸２０の後端側に一体的に固定された構成となっている。
また、前段のポンプ本体１２及び後段のポンプ本体１５に備えられている各シリンダ５０は、両端の端壁部５２、５２と周壁部５３とによって形成されている。
【００２５】
６０はサイレンサ部であり、シリンダ５０の圧縮された気体を排気する排気口（後段の排気口５５Ｂ（図４、７など参照））からの排気と逃がし孔７０（図４、７など参照）からの排気とを合流させて消音させる空間としてマフラーケース１７によって形成されている。これによれば、排気音を効果的に合流消音させることができる。
すなわち、このサイレンサ部の構造は、常に開放している排気口（例えば後段の排気口５５Ｂ）からの通常排気と、逆止弁７１が開状態で逃がし孔７０から排気される過圧縮防止排気との２系統の排気を合流させて消音する１つのマフラーになっており、合理的で且つ安価な構成となっている。
【００２６】
次に、図２〜１０に基づいて、本発明にかかる多段（二段）の単位ポンプ構成を備える二軸回転ポンプであって、クローポンプである形態例について、より具体的に説明する。
本形態例では、複数（二段）の単位ポンプ構成１０Ａ、１０Ｂのうちの少なくとも一つ（単位ポンプ構成１０Ａ）が、図３に示すように、二つの回転軸２０Ａ、２０Ｂについてロータ３０Ａ、３０Ｂの両側に軸受４０Ａ、４０Ｂ、４０Ｃ、４０Ｄを配することで両端が支持されることで構成されている。なお、本形態例によれば、単位ポンプ構成１０Ａが気体の流れの前段に配され、単位ポンプ構成１０Ｂが気体の流れの後段に配された構成になっている。
【００２７】
また、本形態例では、図３に示すように、複数の単位ポンプ構成１０Ａ、１０Ｂのうち回転軸２０Ａ、２０Ｂの軸方向の両端面に位置する少なくとも一方（単位ポンプ構成１０Ｂ）が、二つの回転軸２０Ａ、２０Ｂについてロータ３０Ｃ、３０Ｄの片側であって隣接する単位ポンプ構成１０Ａとの間に配された軸受４０Ｃ、４０Ｄによって片持ち状態に支持されることで構成されている。なお、この軸受４０Ｃ、４０Ｄとしては、アンギュラ複列玉軸受を用いることができる。
【００２８】
これによれば、軸受４０Ｃ、４０Ｄを基準にして、一方にロータ３０Ａ、３０Ｂが配置され、他方にロータ３０Ｃ、３０Ｄが配置された形態となっている。このため、熱膨張が軸受４０Ｃ、４０Ｄを基準にして回転軸の軸方向の両サイドに分かれて生じる形態となっている。従って、ロータ３０とシリンダの端壁部５２とのクリアランスであるサイドクリアランスに関する熱膨張の影響は、一方のロータ３０Ａ、３０Ｂ側と他方のロータ３０Ｃ、３０Ｄ側へ分散されることになる。このため、従来の軸方向に複数のロータを備える回転軸を、その複数のロータを二つの軸受で挟むように両端支持する構造とした多段ポンプの場合に比較して、サイドクリアランスに関する熱膨張の影響は小さくて済むことになる。従って、サイドクリアランスをより小さくして、気体漏れの発生をより小さくすることが可能となり、ポンプ性能を向上させることができる。
【００２９】
さらに、本形態例では、気体を最も高圧に圧縮する最終段の前記単位ポンプ構成１０Ｂにおける回転軸２０Ａ、２０Ｂの片持ち端面側に設けられた最終段のロータ３０Ｃ、３０Ｄが、その最終段の単位ポンプ構成１０Ｂと前段の単位ポンプ構成１０Ａの間に配された軸受４０Ｃ、４０Ｄによって回転軸２０Ａ、２０Ｂを介して片持ち状態に支持されている。
【００３０】
すなわち、回転軸２０Ａ、２０Ｂに設けられ片持ち状態に支持されたロータ３０Ｃ、３０Ｄを備える単位ポンプ構成１０Ｂが、気体を最も高圧に圧縮する最終段の単位ポンプ構成になっている。
このように単位ポンプ構成１０Ｂが最終段になっている場合、一段目の単位ポンプ構成１０Ａのロータ３０Ａ、３０Ｂは、容積の大きい気体が前段のシリンダ５０Ａに導入されるため、幅が広くてより質量の大きなものになっており、両端で支持されている。そして、最終段（本形態例では２段目）の単位ポンプ構成１０Ｂのロータ３０Ｃ、３０Ｄは、気体が圧縮されて後段のシリンダ５０Ｂに導入される関係から、幅が狭くてより質量の小さなものになっており、片持ち状態に支持されている。
両端支持では、荷重が分散し、質量の大きなものにも容易に対応できるため、一段目のロータ３０Ａ、３０Ｂについては、その両端支持が適している。これに比較して、片持ち支持では、質量の大きなものには対応しにくいため、より質量の小さな最終段のロータ３０Ｃ、３０Ｄについては、片持ち支持が適している。従って、本形態例のように、多段のポンプ構造を合理的に構成することができる。
【００３１】
さらに、本形態例では、その最終段の単位ポンプ構成１０Ｂであって、後段のシリンダ５０Ｂの両端部を構成する端壁部５２Ｃ、５２Ｄのうち回転軸２０Ａ、２０Ｂが挿通されない片持ち端面側の端壁部５２Ｄに、圧縮された気体の一部を逃がすことができる逃がし孔７０（図４、７など参照）が、回転軸２０Ａ、２０Ｂの軸方向に開口して設けられている。
この逃がし孔７０によれば、排気開放直前の容積の減少のために排気口を小さくしても大気開放側過圧縮を抑制できる。従って、この逃がし孔７０は、大気開放側過圧縮を抑制することのできる過圧縮抑制機構の構成要素の一例となっている。
【００３２】
また、端壁部５２Ｄについては回転軸２０Ａ、２０Ｂが挿通されないため、端壁部５２Ｄの面においては逃がし孔７０の配置に関する制約がほとんど無く、その逃がし孔７０を所要の位置に適切且つ容易に設けることができる。これによっても、ポンプ性能を向上できる。
つまり、回転軸２０Ａ、２０Ｂ（シャフト）がサイドプレートを貫通している従来のような両端支持構造の場合、逃がし孔７０を配置できてもシャフトが邪魔をして逆止弁７１を最適位置に配置することが困難である。これに対してサイドプレートにシャフトを貫通させない片持ち支持構造とした場合、そのような制約がなく好適に逆止弁７１を配置・構成できる。なお、ポンプ構成を多段化した場合は、多段のポンプのうち最終段をサイドプレートにシャフトを貫通させない片持ち支持構造とすればよい。
【００３３】
この逃がし孔７０には、シリンダ５０Ａ、５０Ｂ内の圧力が、所定の圧力よりも高圧の場合には開き、所定の圧力よりも低圧の場合には閉じる逆止弁７１（図４、６など参照）が設けられている。この逆止弁７１は、逃がし孔７０から高真空となっているシリンダ内へ逆流する排気気体を抑制する逆流抑制機構として機能する。排気気体の高真空となっているシリンダ内への逆流を極力防止できるため、ポンプ効率を向上させることができる。
【００３４】
本形態例の逆止弁は、リード弁７１によって構成されている。このリード弁７１は、先端が半円形の短冊板状に形成され、後端側で片持ち状態に保持・固定され、先端側が自由端になっており、逃がし孔７０を開閉できるようになっている。また、リード弁７１は、ボルト穴７２ａに螺合する逆止弁固定ボルト７２によって固定されている。このリード弁７１は、逃がし孔７０の排気側に固定された逆止弁であり、その排気側の圧力と、圧縮空間内の圧力との差圧が、リード弁のバネ力（弾性）を上回った場合に開となる。このリード弁７１による逆止弁は、簡単な構造であり、コンパクト且つ安価に構成でき、容易に装着できると共に、メンテナンスも容易に行うことができる。また、逆止弁としては、本形態例のようなリード弁７１に限らず、例えば、ゴムやシリコン等の弾性体を用いるもの、スプリング（バネ）を用いてその弾性で開閉するものを用いることができる。
【００３５】
以上の構成は、単段の単位ポンプ構成を備える一軸の回転ポンプにも応用できる。すなわち、回転軸２０の片持ち端面側に設けられシリンダ５０内で回転するロータ３０が、そのロータ３０の片側に配された軸受４０によって回転軸２０を介して片持ち状態に支持され、気体をシリンダ５０内へ吸気して圧縮された気体をシリンダ５０から排気する回転ポンプにも好適に適用できる。
【００３６】
この場合にも、シリンダ５０の軸方向に両端を構成する端壁部５２、５２のうち回転軸が挿通されない片持ち端面側の端壁部５２Ｄに、圧縮された気体の一部を逃がすことができる逃がし孔７０を、回転軸２０の軸方向に開口して設けることができる。
端壁部５２Ｄについては回転軸２０が挿通されないため、この端壁部５２Ｄの面においては逃がし孔７０の配置に関する制約がほとんど無く、その逃がし孔７０を所要の位置に適切且つ容易に設けることができる。これによっても、ポンプ性能を向上できる。
【００３７】
また、以上の構成は、多段の単位ポンプ構成を備える一軸の回転ポンプにも応用できる。すなわち、シリンダ５０とロータ３０とによる単位ポンプ構成１０が、回転軸２０の軸方向について複数段に設けられている場合にも、気体を最も高圧に圧縮する最終段のシリンダ５０Ｂを構成する片持ち端面側の端壁部５２Ｄに、逃がし孔７０が設けることができる。これによっても、前述した内容と同様の効果を奏する。
【００３８】
さらに、本形態例では、前段のシリンダ５０Ａのシリンダの筒部を構成するシリンダの周壁部５３Ａ（図５参照）に、圧縮された気体の一部を逃がすことができる逃がし孔７０が設けられている。この逃がし孔７０からの逃がし気体は、シリンダの周壁部５３Ａの外側に設けられたエスケープボックス６１へ排出され、さらに、エスケープボックスの出口６１ａ（図４参照）とマフラーケース１７のエスケープパイプ接続口１７ｃとの間を接続するエスケープパイプ６２を介して、サイレンサ部６０へ排出される。そして、その排気は、サイレンサ部６０で後述する排気口５５Ａ、５５Ｂからの排気などと合流されて消音され、マフラーケースの排気口１７ａ（図２参照）から外部へ放出される。
【００３９】
このシリンダの周壁部５３Ａに設けた逃がし孔７０によっても、前述したように、ポンプ内部の圧縮空間５１Ａが過圧縮になることを抑制でき、ポンプ性能を向上できる。
但し、シリンダの周壁部５３Ａに逃がし孔７０を設けた場合、その深さが前述したような端壁部５２に設けた場合より長くなるため、逃がし孔７０としての応答性については若干劣るもの考えられる。また、シリンダの周壁部５３Ａに逃がし孔７０を設ける場合は、その穿設位置に制約がかかり易く、前述したような端壁部５２に設ける場合と比較すると若干の難点がある。例えば、ロータ幅が小さい場合は確保できる逃がし孔７０の数が少なく、十分に適用できない場合もある。
【００４０】
また、本形態例では、前段の単位ポンプ構成１０Ａの排気口５５Ａから後段の単位ポンプ構成１０Ｂの吸気口（後段の吸気口３５Ｂ）に接続される接続通気路６５（図４参照）を構成する通気路壁部６６ａに、圧縮された気体の一部を逃がすことができる逃がし孔７０が設けられている。なお、接続通気路６５は、接続ケースの入口６６ｃ及び接続ケースの出口６６ｄを備える接続ケースのベース部６６ｂと、通気路壁部６６ａを構成する蓋板状部とで形成されている接続ケースの本体部６６によって設けられている。
【００４１】
この逃がし孔７０からの逃がし気体は、通気路壁部６６ａの外側に固定された接続ケースのカバー部６７内へ排出され、さらに、接続ケースのエスケープ出口６７ａ（図４参照）とマフラーケース１７のエスケープホース接続口１７ｂ（図２参照）との間を接続するエスケープホース６８（図２参照）を介して、サイレンサ部６０へ排出される。そして、その排気は、サイレンサ部６０で排気口５５Ａ、５５Ｂからの排気などと合流されて消音され、マフラーケースの排気口１７ａから外部へ放出される。
【００４２】
また、３６は吸気ケースであって、３６ａは吸気ケースの吸気口であり、前段の単位ポンプ構成１０Ａに開口する前段の吸気口３５Ａに連通している。４３はオイルシールであり、４５は軸シールになっている。
【００４３】
次に、図１０及び図１１に基づいて、複数の逃がし孔７０を設ける場合の形態例について詳細に説明する。なお、図１０はクローポンプの構成を示すと共に排気状態の形態を示し、図１１（ａ）は図１０のクローポンプにおける気体の圧縮工程の初期状態を示し、図１１（ｂ）は気体の圧縮工程の中途で排気口５５Ｂがロータ３０Ｃの側面によって余裕を持って塞がれた状態を示し、図１１（ｃ）は気体の圧縮工程が終わる直前の状態を示している。また、図１１に記載した矢印は、ロータの回転方向を示している。
本形態例では、シリンダ（後段のシリンダ５０Ｂ）を構成するシリンダの壁部（後段シリンダの一方の端壁部５２Ｃ、後段シリンダの他方の端壁部５２Ｄ、後段の周壁部５３Ｂ）であって気体の圧縮工程で圧縮空間を構成する壁部の部位（後段シリンダの他方の端壁部５２Ｄの一部）に、圧縮された気体の一部を逃がすことができる複数の逃がし孔７０が設けられている。なお、本形態例の逃がし孔７０は、回転軸２０Ａ、２０Ｂの軸方向に開口されて設けられている。
【００４４】
そして、シリンダ（後段のシリンダ５０Ｂ）の内部での圧縮工程を通じて、その圧縮工程の圧縮比の増大に応じて減少する圧縮空間の容積に対し、複数の逃がし孔７０の開いているシリンダに面する総面積の割合が徐々に増大するように、その複数の逃がし孔７０が配置されている。すなわち、気体の圧縮比と逃がし孔の開口している総面積との積が、圧縮工程の圧縮開始から圧縮終わりまでの間で徐々に大きくなり、圧縮終わりの際には最大になるように、複数の逃がし孔７０が配置されている。なお、気体の最大の圧縮比は、圧縮を開始する瞬間の容積と、排気が開始する瞬間の容積との比となる。
【００４５】
このように複数の逃がし孔７０を配置するには、排気口５５Ｂから遠い範囲の逃がし孔７０による開口された面積よりも、排気口５５Ｂにより近い範囲の逃がし孔７０による開口された面積が大きくなるように設定すればよい。従って、複数の同じ大きさ（同径）の逃がし孔７０を配置する場合には、前記端壁部５２Ｄの排気口５５Ｂに近い部位ほど、その逃がし孔７０の数が多く設けられているとよい。すなわち、排気口５５Ｂに近いところほど、逃がし孔７０の存在する密度が高くなるように設けられているとよい。さらに、前記端壁部５２Ｄの排気口５５Ｂに近い部位ほど、逃がし孔７０のサイズを大きくすることで、上記の条件を満たすことも可能である。
【００４６】
なお、本形態例では、後段のシリンダ５０Ｂにかかる複数の逃がし孔７０の全数が、後段シリンダの他方の端壁部５２Ｄに設けられている。しかしながら、上述したような条件を満たせば、これに限定されることはなく、複数の逃がし孔７０の一部が、シリンダ（前段のシリンダ５０Ａ、後段のシリンダ５０Ｂ）の両端部を構成する端壁部（前段シリンダの一方の端壁部５２Ａ、前段シリンダの他方の端壁部５２Ｂ、後段シリンダの一方の端壁部５２Ｃ、後段シリンダの他方の端壁部５２Ｄ）の少なくとも一方に設けられている形態であってもよい。さらに、シリンダ５０の内部での圧縮工程を通じて、その圧縮工程の圧縮比の増大に応じて減少する圧縮空間の容積に対し、複数の逃がし孔７０の開いている総面積の割合が徐々に増大するという条件を満たせば、複数の逃がし孔７０をシリンダの周壁部５３に設けてもよい。
【００４７】
また、逃がし孔７０に取り付けられた逆止弁７１は、排気口５５Ｂの開口前にポンプ内部の圧力が正圧になった状態で開くように設けられている。なお、ここで「正圧」とは、逃がし孔７０の排気側の圧力よりも、圧縮空間内の圧力が上回った状態の圧力のことを意味しており、大気圧より高い圧力に限定されない。そして、排気側の圧力と、圧縮空間内の圧力との差圧が、逆止弁（リード弁７１）のバネ力（弾性）を上回った場合にそのリード弁７１が開となる。真空ポンプにおいて、吸気された負圧空気は、クロー形状ロータにより圧縮され、正圧（逆止弁７１が動作する圧力）で逆止弁７１が開き、逃がし孔７０からの排気が行われる。そのため、逃がし孔７０は、ロータ形状により形成される回転軌道の圧縮工程内でポンプ内部が正圧になる位置に、配置する必要がある。なお、排気口に近い位置ほど圧縮工程が進んで内部が高圧状態にあるため、逆止弁７１は動作し易く、且つ、圧縮工程時間が長い位置ほど逆止弁７１の動作時間が長く、大気開放側での過圧縮抑制効果が大きい。また、本形態例では、逆止弁７１がリード弁によって構成されており、その硬度・板厚を変えることで、動作圧力を変更・調整できる。
【００４８】
以上のように大気開放側の過圧縮を抑制するための逃がし孔７０の配置条件を最適に設定することで、大気開放側の過圧縮抑制にかかる効果を最大限に発揮可能とすることができる。
さらに、この逃がし孔７０については、孔数、孔径、及び孔の面取りなどの形状を、適宜選択的に最適化すればよい。
【００４９】
本形態例によれば、クローロータを搭載する非接触型真空ポンプなどの回転ポンプにおいて、逃がし孔７０による過圧縮抑制機構を設けており、この逃がし孔７０の効果について、その作用の連鎖に注目して、以下に詳細に説明する。
この過圧縮抑制機構（逃がし孔７０）によれば、排気流量の多い大気開放側（吸入される空気の圧力が大気圧に近い状態での運転がされる場合）の過圧縮を抑制でき、高真空となっているシリンダ内へ逃がし孔７０から逆流する排気気体の進入は、逃がし孔７０を塞ぐ逆止弁７１による逆流抑制機構で抑制することができる。
【００５０】
これによれば、上記のように過圧縮が抑制できるため、排気開放直前の容積を減少させるように排気口を小さくして圧縮比を上げることが可能となる。排気開放直前の容積を減少させることで、ポンプ内部へ逆流する排気の気体量を抑制できる。この逆流する気体量を抑制できることで、真空ポンプの到達運転時における動力負荷及びポンプ内部の温度の上昇を抑制することができる。
【００５１】
すなわち、本形態例によれば、排気開放直前の容積減少により、逆流気体量を抑制し、動力負荷及び温度上昇を抑制することを可能とし、さらに過圧縮抑制機構（逃がし孔７０）で大気開放側の過圧縮を抑制し、且つ高真空となっているシリンダ内側は逆流抑制機構（逆止弁７１）で逃がし孔７０からの逆流気体を抑制することで、流量を減少すること無く、且つ単段ポンプで圧力フルレンジの使用が可能な高真空圧側の高効率ポンプ構造を実現でき、且つ、その効果を最大限に発揮可能な構造になっている。
【００５２】
なお、排気開放直前の容積を減少させるには、排気口を小さくし、且つできる限りポンプ内部空気が圧縮された状態の位置に排気口を設けるとよい。つまり、圧縮比を上げるように排気口を設ける。逆流する排気の気体量の抑制には、他に、多段構造によって前段ポンプの排気を後段ポンプで引くこと、排気口に逆止弁を付ける方法がある。
【００５３】
さらに、以上の作用効果について逆の見地から説明すれば、排気開放直前の容積を減少させるために圧縮比を上げたことで、結果的に排気流量が多い大気開放側が過圧縮となることを抑制する過圧縮抑制機構としての逃がし孔７０が設けられていることになる。また、高真空となっているシリンダ内へ逃がし孔７０から逆流する排気気体を抑制する逆流抑制機構としての逆止弁７１が設けられていることになる。
【００５４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００５５】
１０  単位ポンプ構成
１０Ａ  前段の単位ポンプ構成
１０Ｂ  後段の単位ポンプ構成
１１  オイルバスカバー
１１ａ  オイルゲージ
１２  前段のポンプ本体
１３  前段のサイドプレート
１５  後段のポンプ本体
１６  後段のサイドプレート
１７  マフラーケース
１７ａ  マフラーケースの排気口
１７ｂ  エスケープホース接続口
１７ｃ  エスケープパイプ接続口
２０  回転軸
２０Ａ  駆動回転軸
２０Ｂ  従動回転軸
２１  駆動歯車
２２  従動歯車
２３  従動プーリ
３０  ロータ
３０Ａ  前段の駆動回転軸側のロータ
３０Ｂ  前段の従動回転軸側のロータ
３０Ｃ  後段の駆動回転軸側のロータ
３０Ｄ  後段の従動回転軸側のロータ
３５Ａ  前段の吸気口
３５Ｂ  後段の吸気口
３６  吸気ケース
３６ａ  吸気ケースの吸気口
４０  軸受
４０Ａ  一方の駆動回転軸側の軸受
４０Ｂ  一方の従動回転軸側の軸受
４０Ｃ  他方の駆動回転軸側の軸受
４０Ｄ  他方の従動回転軸側の軸受
４３  オイルシール
４５  軸シール
５０  シリンダ
５０Ａ  前段のシリンダ
５０Ｂ  後段のシリンダ
５１Ａ  前段の圧縮空間
５１Ｂ  後段の圧縮空間
５２  端壁部
５２Ａ  前段シリンダの一方の端壁部
５２Ｂ  前段シリンダの他方の端壁部
５２Ｃ  後段シリンダの一方の端壁部
５２Ｄ  後段シリンダの他方の端壁部
５３  周壁部
５３Ａ  前段の周壁部
５３Ｂ  後段の周壁部
５５Ａ  前段の排気口
５５Ｂ  後段の排気口
６０  サイレンサ部
６１  エスケープボックス
６１ａ  エスケープボックスの出口
６２  エスケープパイプ
６５  接続通気路
６６  接続ケースの本体部
６６ａ  通気路壁部
６６ｂ  接続ケースのベース部
６６ｃ  接続ケースの入口
６６ｄ  接続ケースの出口
６７  接続ケースのカバー部
６７ａ  接続ケースのエスケープ出口
６８  エスケープホース
７０  逃がし孔
７１  逆止弁（リード弁）
７２  逆止弁固定ボルト
７２ａ  ボルト穴
【図１】
2014231812.tif 000003
【図２】
2014231812.tif 000004
【図３】
2014231812.tif 000005
【図４】
2014231812.tif 000006
【図５】
2014231812.tif 000007
【図６】
2014231812.tif 000008
【図７】
2014231812.tif 000009
【図８】
2014231812.tif 000010
【図９】
2014231812.tif 000011
【図１０】
2014231812.tif 000012
【図１１】
2014231812.tif 000013